(57)【要約】      （修正有）【課題】梯子の上端を樹木などに確実に固定できる梯子における架止め固定装置を提供する。【解決手段】両支柱間の踏桟５が筒形であるアルミ製の梯子Ｒにおいて、その支柱上端と係合する左右一対の取付基盤６を取付けの固定基材とした架止め固定装置Ｐにおいて、両取付基盤の間に左右逆ネジ９が形成された回転横軸７を軸支し、回転横軸の左右両端部の逆ネジ部に樹木Ｗ等に１対で差し込む挟持アーム１１を反転可能に螺着し、また、回転横軸の一端に下で手繰る操作ロープ１が掛かるプーリ１９を取り付けてあり、梯子に対する両取付基盤の固定については、上端の踏桟の中を通す固定ボルト１５とナット１７とにより両取付基盤を連結するとともに、ナットの締め付けで梯子の支柱に圧接させるようにしてあって、両挟持アームが、回転横軸が該踏桟の背後となる位置において両取付基盤に軸支がなされている。【選択図】図１
2007224641.tif 000002
【特許請求の範囲】
【請求項１】
両支柱間の踏桟が筒形であるアルミ製の梯子において、その支柱上端と係合する左右一対の取付基盤を取付けの固定基材とした架止め固定装置において、両取付基盤の間に左右逆ネジが形成された回転横軸を軸支し、回転横軸の左右両端部の逆ネジ部に樹木等に１対で差し込む挟持アームを反転可能に螺着し、また、回転横軸の一端に下で手繰る操作ロープが掛かるプーリを取り付けてあり、梯子に対する両取付基盤の固定については、上端の踏桟の中を通す固定ボルトとナットとにより両取付基盤を連結するとともに、ナットの締め付けで梯子の支柱に圧接させるようにしてあって、両挟持アームが上端の踏桟の上に掛かることにより前突出に保持されるよう、回転横軸が該踏桟の背後となる位置において両取付基盤に軸支がなされていることを特徴とする梯子における架止め固定装置。
【請求項２】
両挟持アームは、断面コ字形であって相互にコ字形の開口で向かい合っており、基端に回転横軸の逆ネジ部に螺合する雌ネジを有し、断面コ字形の上下端縁に逆止爪が配設されていることを特徴とする請求項１記載の梯子における架止め固定装置。
【発明の詳細な説明】
【技術分野】
【０００１】
この発明は、梯子を架ける相手が例えば枝打ち作業の場合のように樹木であるときに、外周に沿って回るふらつきを防止するために梯子の上端に装着する架止め固定装置に関する。
【背景技術】
【０００２】
スギやヒノキなどの生産において無節の優良材を育成するには枝打ちは欠かせない作業であり、また、森林の保全のためにも枝打ちが行われる。枝打ちの高所に登るためには一般的に梯子が使用されるが、その際に、梯子の上端の踏桟を丸い樹木に掛けることになりその周囲に回りやすい。しかも、樹木は上にゆくにつれて細くなるからさらに回りやすく、また、山間地の地面が軟弱であり傾斜し凹凸も激しいことから、どうしても不安定な架け方になるために、転落事故が後を絶たないほどに安全性に問題があった。
【０００３】
樹木などにはロープを使って登ることもできる。しかし、それには腰に掛けたロープを樹木に回してたぐり上げながら一歩ずつ上がるという熟練を要するために、その技術の習得が難しく、また、老齢化により熟練者が減少しているので、現在、梯子を安定して使用できるようにすることが非常に重要となっている。
【発明の開示】
【発明が解決しようとする課題】
【０００４】
この発明は、上記のような実情に鑑みて、梯子の上端を樹木などに確実に固定できるために安全であり、また、熟練を要しなく操作が簡単である梯子における架止め固定装置を提供することを課題とした。
【課題を解決するための手段】
【０００５】
上記の課題を解決するために、この発明は、両支柱間の踏桟が筒形であるアルミ製の梯子において、その支柱上端と係合する左右一対の取付基盤を取付けの固定基材とした架止め固定装置において、両取付基盤の間に左右逆ネジが形成された回転横軸を軸支し、回転横軸の左右両端部の逆ネジ部に樹木等に１対で差し込む挟持アームを反転可能に螺着し、また、回転横軸の一端に下で手繰る操作ロープが掛かるプーリを取り付けてあり、梯子に対する両取付基盤の固定については、上端の踏桟の中を通す固定ボルトとナットとにより両取付基盤を連結するとともに、ナットの締め付けで梯子の支柱に圧接させるようにしてあって、両挟持アームが上端の踏桟の上に掛かることにより前突出に保持されるよう、回転横軸が該踏桟の背後となる位置において両取付基盤に軸支がなされていることを特徴とする梯子における架止め固定装置を提供するものである。
【０００６】
梯子における架止め固定装置を上記のように構成したから、これを梯子に装着するには、上端の踏桟に固定ボルトを通しながら梯子の両側に取付基盤を当て、固定ボルトをナットで締めることによりネジの倍力で取付基盤を圧接して固定する。こうしながら両取付基盤の間に回転横軸を架設すると、それが上端の踏桟の背後に位置するので、挟持アームを前に反転させるとその踏桟に掛かって前に突出した状態が得られる。
【０００７】
次に、梯子を使用するときには、このように前突出の状態で樹木に両挟持アームを差し込みながら上端の踏桟を樹木に架けてから、操作ロープを下で操りながらプーリを回転する。このとき回転横軸が同時に回転してその逆ネジ部に螺着する両挟持アームが相反する方向に移動するので、両挟持アームの間を狭めることによりそれで樹木を挟み付けて固定する。また、取り外すときには、プーリを逆に回転することにより両挟持アームの間を拡げる。
【発明の効果】
【０００８】
以上説明したように、この発明によれば、樹木などを挟む両挟持アームをネジの倍力で締め付けるために、梯子の上端を樹木などに確実に固定できて安全であり、しかも、その操作は下で操作ロープを操ることにより容易になし得る。また、両挟持アームの前突出を保持するために上端の踏桟が利用され、しかも、踏桟の中に固定ボルトを通して取付基盤を固定するので、構造が簡単で部品点数の少ない簡素な外観となると同時に、梯子に対する取付けが強固となるという優れた効果がある。
【発明を実施するための最良の形態】
【０００９】
次に、この発明の実施形態を図面に基づいて説明する。
【００１０】
図面は、一実施の形態を示したもので、アルミ製の梯子Ｒの上端に架止め固定装置Ｐが装着され、その架止め固定装置Ｐは、梯子Ｒを樹木Ｗ等に架けた状態で、下で操作ロープ１を手繰りながら樹木Ｗに対する固定および解除がなされるようになっている（図４）。なお、同図では操作ロープ１を直接持ちながら操作する状態を示したが、梯子Ｒの下端部に設けたハンドルで操作できるようにしても良く、操作の仕方は特に問題とするものではない。
【００１１】
梯子Ｒは、伸縮自在な二連梯子を図示したが（図４）、一連においても実施可能であることはもちろん、いずれにしても、上端部では、両支柱３，３が相反する外側開口の断面コ字形であることが、これに限定しないものの装置の取付けにおいて好都合である。また、支柱３，３間の踏桟５，５，・・は、円筒形、楕円形、角筒形などの筒形であって、端部を支柱３に貫通させて貫通孔の両側で踏桟５を加締めて固定してある。これは一般的なアルミ製の梯子の構造であって、踏桟５の両端が両支柱３，３の外側に開口しており、このような普通のアルミ製梯子の形態が架止め固定装置Ｐの機構に巧みに利用したことに特徴がある。
【００１２】
架止め固定装置Ｐは、梯子Ｒの上端部を挟む左右一対の取付基盤６，６を装置全体の取付け固定基材とするもので、上端の踏桟５の背後にそれと平行に設けられる逆ネジの回転横軸７と、その両逆ネジ部９，９に基端で螺着される挟持アーム１１，１１と、両取付基盤６，１３を固定するために踏桟５の中に挿通される固定ボルト１５及びその端の蝶ナット１７と、回転横軸７の一端に固定して取り付けられるプーリ１９と、プーリ１９に掛けられる前記した操作ロープ１とから構成される。なお、プーリ１９から操作ロープ１が外れないように外れ防止装置（図示しない）を具備することが望ましい。
【００１３】
取付基盤６，６は、支柱３の外側に当たるものであるが、それよりも後ろに幅広く形成され、その内面には支柱３のコ字形の溝内に嵌合するコ字形の係合片２０が一体に固着されている。この係合片２０が支柱３内に隠れるので、支柱３は、図示の如く断面で外側開口のコ字形であることが望ましいが、内側開口である梯子の場合には、取付基盤６が支柱３の外側に嵌まる係合構造にすると良い。このように何らかの係合構造において取付基盤６，６を固定ボルト１５と蝶ナット１７とにより支柱３，３に圧接される。
【００１４】
圧接手段については、固定ボルト１５の一端が一方の取付基盤６に溶接で固定されており、他方の取付基盤６には貫通孔２４が設けられているので、それから突出する雄ねじに蝶ナット１７が螺合され、蝶ナット１７を締め付けることによりネジの倍力で両取付基盤６，６が寄せつけられる。したがって、取付基盤６，６は支柱３，３との係合とも相まって、支柱３，３よりも後ろへ突出した箇所において回転横軸７を安定して支持できる。
【００１５】
回転横軸７は、両端部に右ネジと左ネジとを分けて形成することにより逆ネジ部９，９が設けられ、両端が取付基盤６，６に貫通して軸支され、逆ネジ部９，９にはそれぞれに挟持アーム１１，１１が基端の雌ネジ２１，２１で螺合しているので、プーリ１９の回転とともに回転横軸７が回転すると、両挟持アーム１１，１１が相反する左右に移動するから、梯子Ｒの下で操作ロープ１を手繰りながら、樹木Ｗを挟み付けたりそれから外したりすることができる。なお、回転横軸７の両端には外れ止めピン２２，２２が差し止められる。
【００１６】
また、回転横軸７を中心に挟持アーム１１，１１が反転するが（図３の矢印）、上端の踏桟５に掛かることによって、樹木Ｗを挟みやすくほゞ水平に前へ突き出た状態が保持される。梯子の一般的な使用においては例えば７５度程度の傾斜が安定して好ましいとされるから、梯子Ｒのその傾斜角度において水平となるように挟持アーム１１，１１が踏桟５に掛かるように回転横軸７の位置が設定される。なお、これはある程度調整し得る。つまり、踏桟５の中を固定ボルト１５が通っているので、その空間の範囲内で（図３参照）その位置を移動させることにより、取付基盤６，６とともに回転横軸７を上下できるからである。
【００１７】
挟持アーム１１，１１は、コ字形断面のリブ形状であって、雌ネジ２１，２１に一端を溶接してあり、互いにコ字形の開口が相向かい合うように並列される。また、コ字形の開口上下両縁には鋸歯状に逆止爪２３，２３，・・が列設される。したがって、逆止爪２３，２３，・・が樹木Ｗに食い込むことにより決して外れない状態が得られる。
【００１８】
上記した梯子における架止め固定装置Ｐは、主に枝打ち作業に使用する場合を想定して開発してものであるが、支柱や電柱等に固定するために使用することもでき、その場合には、逆止爪２３の代わりにゴム等の摩擦材を挟持アーム１１に取り付けてあることが望ましいと考えられる。
【図面の簡単な説明】
【００１９】
【図１】この発明の架止め固定装置を梯子に装着状態で示す斜視図である。
【図２】同架止め固定装置を上から見た断面図である。
【図３】図２のＡ−Ａ線矢視の断面図である。
【図４】同架止め固定装置を装着した梯子の使用状態を示す斜視図である。
【符号の説明】
【００２０】
Ｐ  梯子における架止め固定装置
Ｒ  梯子
Ｗ  樹木
１  操作ロープ
３  支柱
５  踏桟
６  取付基盤
７  回転横軸
９  逆ネジ部
１１  挟持アーム
１５  固定ボルト
１７  ナット
１９  プーリ
２１  雌ネジ
２３  逆止爪
【図１】
2007224641.tif 000003
【図２】
2007224641.tif 000004
【図３】
2007224641.tif 000005
【図４】
2007224641.tif 000006